(57)【要約】      （修正有）【課題】遠隔地の高齢者や障害を持つ人が、医療機関の医者と直接対面応答方式による医療診療が受診可能で、高齢者や障害を持つ人にも操作が容易で安心感を抱くことができる多機能テレビ電話を用いた遠隔医療システムを提供する。【解決手段】多機能テレビ電話は、ユーザ本人の画像と各医療機関の電話番号等が記憶されたＩＣカード情報を遠隔医療センターの遠隔医療情報処理装置に自動的に送信し、前記遠隔医療情報処理装置は、送信された本人画像、カード情報を予め登録された本人画像、カード情報を対比し本人であるか否か判定し、ＹＥＳの場合、前記遠隔医療情報処理装置の所属担当医がテレビ電話を介して直接問診、各種測定器による医療診療を実施し、診療結果と今後の処置についてユーザに説明すると共に、受診記録と必要薬品一覧及び医療費請求書を多機能テレビ電話に送信し、ユーザは請求金額を多機能テレビ電話でＩＣカードにより決済する。【選択図】図１
2007293499.tif 000002
【特許請求の範囲】
【請求項１】
テレビカメラによる画像、音声、電子メール、ファックスの送受信可能で、複数の医療機関及び金融機関の発行したＩＣカードの読み取り／書き込みが可能なＩＣカードリーダを備えた多機能テレビ電話端末と、複数の医療機関に設けられ、前記多機能テレビ電話端末と画像、音声、電子メール、ファックスの送受信が可能で、予めユーザ本人の画像が登録される遠隔医療情報処理装置とを備えた多機能テレビ電話を用いた遠隔医療システムにおいて、前記多機能テレビ電話端末は、予め登録されたユーザ本人の前記テレビカメラによるリアルタイムの画像と前記ＩＣカードリーダで読み取った各医療機関の電話番号等が記憶されたＩＣカード情報を前記遠隔医療センターの遠隔医療情報処理装置に自動的に送信する手段を備え、前記遠隔医療情報処理装置は、前記多機能テレビ電話端末から送信されたユーザ本人のリアルタイムの画像、カード情報を読み取り予め登録されたユーザ本人の画像、カード情報を対比し登録されたユーザ本人であるか否かを判定する判定手段を備え、判定手段による判定がＹＥＳの場合、前記遠隔医療情報処理装置の所属の担当医者が、ユーザ本人と多機能テレビ電話を介して直接問診、各種測定器による医療診療を実施し、受診記録、必要薬品及び診療費請求書を多機能テレビ電話端末に送信し、ユーザは医療請求書の金額を多機能テレビ電話端末で金融機関発行のＩＣカードにより決済することを特徴とする多機能テレビ電話を用いた遠隔医療システム。
【請求項２】
前記ユーザ本人が高齢者又は障害を持つ人の場合、ユーザ本人の画像と介護者の画像を予め遠隔医療情報処理装置に登録可能とすることを特徴とする請求項１に記載の多機能テレビ電話を用いた遠隔医療システム。
【請求項３】
前記多機能テレビ電話端末から前記遠隔情報処理装置に遠隔医療の希望日時を予約可能とすることを特徴とする請求項１又は２に記載の多機能テレビ電話を用いた遠隔医療システム。
【発明の詳細な説明】
【技術分野】
【０００１】
本発明は、多機能テレビ電話を用いて遠隔医療システムに関する。
【背景技術】
【０００２】
従来、医療センターから遠隔地に暮らしている一人暮らしの高齢者や障害を持つ人に対する遠隔医療としては、定期的な訪問医療を実施するとか、各種センサによる監視システムを設置し、異常発生時に自動的に医療センターに通報されるシステム等が開発され、既に実用化されている。
【特許文献１】特開２００３−９１５９９号公報
【発明の開示】
【発明が解決しようとする課題】
【０００３】
しかしながら、定期的な訪問医療は、高齢社会となり訪問医療のサービスを必要とする高齢者や障害を持つ人が増えている現状では、医師不足等からその定期訪問医療の間隔が長くなり、適切な医療ができないという問題が発生している。また、緊急時のみ医療センターに通報するシステムでは、通常の医療診療が不十分となり、健康且つ安全に高齢者や障害を持つ人が生活するための効果的な遠隔医療システムとは言えない。
【０００４】
本発明は、上記従来技術の課題を解決するため、遠隔地にお住まいの高齢者や障害を持つ人が、医療機関の医者と直接対面応答方式による医療診療が受診可能で、高齢者や障害を持つ人にも操作が容易で安心感を抱くことができる多機能テレビ電話を用いた遠隔医療システムを提供することを目的とする。
【課題を解決するための手段】
【０００５】
本第１発明は、前記課題を解決するために、、テレビカメラによる画像、音声、電子メール、ファックスの送受信可能で、複数の医療機関及び金融機関の発行したＩＣカードの読み取り／書き込みが可能なＩＣカードリーダを備えた多機能テレビ電話端末と、複数の医療機関に設けられ、前記多機能テレビ電話端末と画像、音声、電子メール、ファックスの送受信が可能で、予めユーザ本人の画像が登録される遠隔医療情報処理装置とを備えた多機能テレビ電話を用いた遠隔医療システムにおいて、前記多機能テレビ電話端末は、予め登録されたユーザ本人の前記テレビカメラによるリアルタイムの画像と前記ＩＣカードリーダで読み取った各医療機関の電話番号等が記憶されたＩＣカード情報を前記遠隔医療センターの遠隔医療情報処理装置に自動的に送信する手段を備え、前記遠隔医療情報処理装置は、前記多機能テレビ電話端末から送信されたユーザ本人のリアルタイムの画像、カード情報を読み取り予め登録されたユーザ本人の画像、カード情報を対比し登録されたユーザ本人であるか否かを判定する判定手段を備え、判定手段による判定がＹＥＳの場合、前記遠隔医療情報処理装置の所属の担当医者が、ユーザ本人と多機能テレビ電話を介して直接問診、各種測定器による医療診療を実施し、受診記録、必要薬品及び診療費請求書を多機能テレビ電話端末に送信し、ユーザは医療請求書の金額を多機能テレビ電話端末で金融機関発行のＩＣカードにより決済することを特徴とする。
【０００６】
本第２発明は、本第１発明の多機能テレビ電話を用いた遠隔医療システムにおいて、前記ユーザ本人が高齢者又は障害を持つ人の場合、ユーザ本人の画像と介護者の画像を予め遠隔医療情報処理装置に登録可能とすることを特徴とする。
【０００７】
本第３発明は、本第１又は第２発明の多機能テレビ電話を用いた遠隔医療システムにおいて、前記多機能テレビ電話端末から前記遠隔情報処理装置に遠隔医療の希望日時を予約可能とすることを特徴とする。
【発明の効果】
【０００８】
本発明のテレビカメラによる画像、音声、電子メール、ファックスの送受信可能で、複数の医療機関及び金融機関の発行したＩＣカードの読み取り／書き込みが可能なＩＣカードリーダを備えた多機能テレビ電話端末と、複数の医療機関に設けられ、前記多機能テレビ電話端末と画像、音声、電子メール、ファックスの送受信が可能で、予めユーザ本人の画像が登録される遠隔医療情報処理装置とを備えた多機能テレビ電話を用いた遠隔医療システムにおいて、前記多機能テレビ電話端末は、予め登録されたユーザ本人の前記テレビカメラによるリアルタイムの画像と前記ＩＣカードリーダで読み取った各医療機関の電話番号等が記憶されたＩＣカード情報を前記遠隔医療センターの遠隔医療情報処理装置に自動的に送信する手段を備え、前記遠隔医療情報処理装置は、前記多機能テレビ電話端末から送信されたユーザ本人のリアルタイムの画像、カード情報を読み取り予め登録されたユーザ本人の画像、カード情報を対比し登録されたユーザ本人であるか否かを判定する判定手段を備え、判定手段による判定がＹＥＳの場合、前記遠隔医療情報処理装置の所属の担当医者が、ユーザ本人と多機能テレビ電話を介して直接問診、各種測定器による医療診療を実施し、受診記録、必要薬品及び診療費請求書を多機能テレビ電話端末に送信し、ユーザは医療請求書の金額を多機能テレビ電話端末で金融機関発行のＩＣカードにより決済する構成により、各医療機関専用のＩＣカードをカードリーダで読み込ませることにより、自動的に医療機関の遠隔医療情報処理装置と交信できるので、高齢者や障害を持つ人にとってキーボード操作等の面倒な手間を省くことができ、予め登録された本人画像とリアルタイムで撮影されたユーザ本人画像によりユーザ本人であることが確認されなければ遠隔医療ができないので、医療にかかる個人情報の保護に役立つ。さらに、ユーザ本人と担当医者がお互いの画像を確認して対面医療ができるので、安心して在宅での問診や今後の注意事項を確認することが可能であり、外出が困難な高齢者や障害を持つ人に取って在宅で気楽に遠隔医療を受診でき、医療費の支払いも在宅でできるので便利である。
ユーザ本人が高齢者又は障害を持つ人の場合、ユーザ本人の画像と介護者の画像を予め遠隔医療情報処理装置に登録可能とする構成により、ユーザ本人が寝たきり状態で多機能テレビ電話端末の操作ができないようなケースでは、ユーザ本人が承諾指定した介護者が代理人担当医者の対面方式で医療方針や薬品につての指示を受けることができる。
多機能テレビ電話端末から前記遠隔情報処理装置に遠隔医療の希望日時を予約可能とする構成により、ユーザが都合の良い日時に遠隔医療を受診できる。
【発明を実施するための最良の形態】
【０００９】
本発明の実施の形態を図に基づいて説明する。図１は、本発明の多機能テレビ電話を用い遠隔医療システムの概要を示す図である。図示するように、本発明に係る多機能テレビ電話を用いた遠隔医療システムは、複数の多機能テレビ電話端末３と複数の医療機関の遠隔医療情報処理装置１とが通信網２を介して交信可能になっている。
【００１０】
図２は、本発明の遠隔医療システムに用いる多機能テレビ電話端末３の構成例を示す外観構成図である。本発明の多機能テレビ電話端末３は、複数の医療機関が発行する専用のＩＣカード４を非接触で読み取り／書き込み可能なＩＣカードリーダ５を設け、ＩＣカード４に記憶しているデータにより多機能テレビ電話端末３を使用できるようにし、高齢者や障害を持つ人でも極めて容易に操作できる。さらに、多機能テレビ電話端末３には、マイク６、スピーカ７、ＣＣＤカメラのような小型テレビカメラ８、電源スイッチ９、表示器１０が設けられる。多機能テレビ端末３は、他にファックス、電子メール、パソコン、テレビ受信機、ＤＶＤレコーダ、プリンタ、データ入力手段等が内蔵又は接続可能とされる。
【００１１】
図３に示されるように本発明の多機能テレビ電話端末３は、ＩＣカードリーダ５、ＩＣカード制御部１１、記憶部１２、ＣＰＵ１３、通信制御部１４、通信ユニット１５、音声制御部１６、映像制御部１７，画面制御部１８、スピーカ７、マイク６、小型テレビカメラ８、表示器１０，録画装置１９を備える。
【００１２】
ＣＰＵ１３は、プログラムを実行することにより、映像制御部１７，音声制御部１６、画面制御部１８及びＩＣカード制御部１１の制御、通信制御部１４の制御を行い多機能テレビ電話端末３の全体制御を行う。
【００１３】
通信制御部１４は、ＩＣカード４に記憶された電話番号データから固有の医療機関の遠隔医療情報処理装置１にダイヤル信号を通信網２に発信し、通信ユニット１４は、映像や音声信号の送受信の信号の変調／復調を行う。
【００１４】
音声制御部１６は、マイク６及びスピーカ７を制御し、音声信号の入出力制御を行う。映像制御部１７は、ＣＣＤカメラ等の小型テレビカメラ８からの映像信号を制御し、画面制御部１８は、表示器１０、録画装置１９の映像信号を制御する。
【００１５】
図４は、本発明の多機能テレビ電話を用いた遠隔医療システムの処理フローを示す図である。ステップ１で、ユーザは多機能テレビ電話端末３の電源スイッチ９をオンにする。ステップ２で、所定の医療機関が発行したＩＣカード４を、ＩＣカードリーダ５に非接触で近づける。ＩＣカードリーダ５は、ＩＣカード４に記憶されている相手先の遠隔医療情報処理装置１の電話番号、サービス時間帯を読み込み、サービス時間帯内と判定されると、ステップ３で自動的に相手先にダイヤル信号を発し、過去の医療記録が書きこまれたカード情報とリアルタイムのユーザ本人の画像を遠隔医療情報装置１に送信する。サービス時間外の場合、相手先の遠隔医療情報処理装置１に、サービス時間帯内の遠隔医療の予約日時を発信し、相手先の遠隔医療情報処理装置１に予約可能とすると便利である。また、寝たきりの高齢者や障害を持つ人の場合、多機能テレビ電話端末の前での操作が困難な場合、ユーザ本人が指定した介護者の画像を予め医療機関の遠隔医療情報処理装置１に登録し、多機能テレビ電話端末３での遠隔医療の手伝いを可能にしても良い。
【００１６】
ステップ４で、相手先の遠隔医療情報処理装置１で受信された医療記録等が書き込まれたカード情報及びリアルタイムのユーザ本人画像が、予め遠隔医療情報処理装置１に記憶されたカード情報及びユーザ本人画像と対比され、この遠隔医療の適否が判定される。リアルタイムのユーザ本人画像と予め登録されたユーザ本人画像の対比はイメージセンサにより高精度に実施されるので、他人が変装しても即見破ることができ、医療に関わる個人情報を保護でき、安全性の高い遠隔医療をすることができる。
【００１７】
ステップ４で、適切な遠隔医療であると判定されると、ステップ５に進む。ステップ５では、遠隔医療情報処理装置１の担当医者がユーザ本人とテレビ電話により対面方式で遠隔医療を実施する。遠隔医療はテレビ電話を介して対面方式で実施され、ユーザが所持する血圧計、体温計等の各種センサによる測定記録もこの対面方式のなかで担当医者に伝達される。対面方式の診療であるため担当医者にとってユーザの健康状態を正確にチェックができ、且つ遠隔医療を受診する高齢者や障害も在宅での診療であるため安心した気持ちで遠隔医療を受診することができる。
【００１８】
ステップ５で遠隔医療が終了すると、ステップ６で、遠隔診療の内容、必要薬品表、診療費の請求書が多機能テレビ電話端末３にファックス、電子メールで送信され、遠隔診療の履歴は多機能テレビ電話端末３の記憶部１２に記憶される。
【００１９】
ステップ７で、ユーザは、ＩＣカード４をＩＣカードリーダ５に近接させ、この遠隔医療の履歴をＩＣカード４に書込記憶させる。ファックスで送信された診療費の請求書の金額を金融機関が発行したＩＣカードでＩＣカードリーダ５に読み込ませ、カード決済する。ステップ８で、多機能テレビ電話端末３の電源スイッチ９をオフにする。必要薬品表は近くの調剤薬局に持参して薬品を購入する。調剤薬局での薬品の購入が困難な場合、遠隔医療情報処理装置１の医療機関は、必要薬品を直接ユーザ本人に配達する。
【図面の簡単な説明】
【００２０】
【図１】本発明の実施形態を示す図である。
【図２】本発明の実施形態を示す図である。
【図３】本発明の実施形態を示す図である。
【図４】本発明の実施形態を示す図である。
【符号の説明】
【００２１】
１：遠隔医療情報処理装置
２：通信網
３：多機能テレビ電話端末
４：ＩＣカード
５：ＩＣカードリーダ
６：マイク
７：スピーカ
８：小型テレビカメラ
９：電源スイッチ
１０：表示器
１１：ＩＣカード制御部
１２：記憶部
１３：ＣＰＵ
１４：通信制御部
１５：通信ユニット
１６：音声制御部
１７：映像制御部
１８：画面制御部
【図１】
2007293499.tif 000003
【図２】
2007293499.tif 000004
【図３】
2007293499.tif 000005
【図４】
2007293499.tif 000006